(57)【特許請求の範囲】
【請求項１】
外観カバー内の空間に電源電池および画像記録媒体を含む複数のカメラ構成部品を収容するカメラ本体部と、撮影光学系を収容する撮影レンズ鏡筒部とを有し、撮影レンズ鏡筒部が回転軸部材を介して撮影光軸と直交する軸回りに本体部に回転可能に支持されて成るデジタルスチルカメラにおいて、
前記外観カバーおよび回転軸部材をいずれも金属で構成し、前記カメラ本体部の電池室を構成する電池室壁に前記回転軸部材を連結したことを特徴とするデジタルスチルカメラ。
【請求項２】
前記回転軸部材が連結される前記電池室壁は金属材料で構成されることを特徴とする請求項１に記載のデジタルスチルカメラ。
【請求項３】
外観カバーで囲まれた本体部の内部空間に電源電池および画像記録媒体を含む複数のカメラ構成部品を収容するとともに、撮影光学系を収容する撮影レンズ鏡筒部を有し、該撮影レンズ鏡筒部が回転軸部材を介して撮影光軸と直交する軸回りに前記本体部に回転可能に支持されて成るデジタルスチルカメラにおいて、
前記外観カバーおよび回転軸部材をいずれも金属で構成し、前記本体部の内部空間を金属板により複数の部品収容空間に仕切って前記複数のカメラ構成部品を収容するとともに、少なくとも一部の金属板を前記回転軸部材を介して前記外観カバーに連結したことを特徴とするデジタルスチルカメラ。
【発明の詳細な説明】
【０００１】
【発明の属する技術分野】
本発明はデジタルスチルカメラに関し、その放熱性能を向上させたものである。
【０００２】
【従来の技術】
デジタルスチルカメラは、撮影レンズを透過した被写体光束をＣＣＤ等の撮像素子で撮像し、その出力信号を画像データに変換してメモリカードに記録する。この種のデジタルカメラには、カメラ制御用のＣＰＵ等が実装される回路基板が設けられるとともに、画像確認用の液晶モニタを備えるものが多い。
【０００３】
デジタルスチルカメラ内に収容される部材のうち電源電池およびＣＰＵは発熱源であり、また上記液晶モニタもバックライトを使用することから発熱源となる。そして、このような発熱源によってカメラ内部の温度が上昇し過ぎると、回路動作等に異常を来し、正常なカメラ動作が行われないおそれがある。しかし、従来カメラはその内部スペースにまだ余裕があり、発熱源を含むカメラ構成部品を比較的距離を置いて配置することができるため、カメラ内部の温度が上昇し過ぎるという問題は起きなかった。例えば、従来はカメラ本体の一端側に膨出するグリップ部を設けたものが多く、このグリップ部内を電池室として利用することで、他の部材を余裕を持って配置できた。
【０００４】
【発明が解決しようとする課題】
ところが、近年ではカメラの更なる小型化（特に薄型化）の要望が強く、本体にグリップ部を形成するスペース的余裕がなくなり、電池室を本体内に新たに確保する必要が生じた。このため、電池を含む複数の部品の間隔を必然的に狭くせざるを得ず、そうなるとカメラ内部に熱がこもり易くなり、内部の温度上昇が問題となってくる。
【０００５】
本発明の目的は、小型化を阻害することなく放熱性を向上させたデジタルスチルカメラを提供することにある。
【０００６】
【課題を解決するための手段】
本発明は、外観カバー内の空間に電源電池および画像記録媒体を含む複数のカメラ構成部品を収容するカメラ本体部と、撮影光学系を収容する撮影レンズ鏡筒部とを有し、撮影レンズ鏡筒部が回転軸部材を介して撮影光軸と直交する軸回りに本体部に回転可能に支持されて成るデジタルスチルカメラに適用され、外観カバーおよび回転軸部材をいずれも金属で構成し、カメラ本体部の電池室を構成する電池室壁に回転軸部材を連結したことを特徴とする。
請求項２の発明は、回転軸部材が連結される電池室壁を金属材料で構成したものである。
請求項３の発明は、外観カバーで囲まれた本体部の内部空間に電源電池および画像記録媒体を含む複数のカメラ構成部品を収容するとともに、撮影光学系を収容する撮影レンズ鏡筒部を有し、撮影レンズ鏡筒部が回転軸部材を介して撮影光軸と直交する軸回りに本体部に回転可能に支持されて成るデジタルスチルカメラに適用され、外観カバーおよび回転軸部材をいずれも金属で構成し、本体部の内部空間を金属板により複数の部品収容空間に仕切って複数のカメラ構成部品を収容するとともに、少なくとも一部の金属板を回転軸部材を介して外観カバーに連結したことを特徴とする。
【０００７】
【発明の実施の形態】
図１〜図６により本発明の一実施の形態を説明する。
図１は本実施形態におけるデジタルスチルカメラの平面断面図、図２はそのII−II線断面図、図３〜図５は外観図である。
【０００８】
このデジタルスチルカメラは、本体部２４と撮影レンズ鏡筒部（以下、単に鏡筒部と呼ぶ）１とから成り、鏡筒部１は本体部２４に回動可能に支持される。すなわち、鏡筒部１を構成する固定筒１４には金属板５６がビス５７，５８により固定され、金属板５６に形成された筒状の回転軸部５６ａが本体部２４側の金属板７１に回転可能に支持される。図６（ａ），（ｂ）はその回転支持部を示す斜視図，断面図であり、５９は回転軸部５６ａと金属板７１との離脱を防止するためのリング部材、７２は回転支持部にほどよいフリクションを与えるためのウェーブワッシャばねである。このように鏡筒部１は、後述する撮影光学系の光軸と直交する軸回りに本体部１に対して回転可能である。図４は鏡筒部１を９０度回転した状態を示している。
【０００９】
鏡筒部１は金属製の外観カバー２２によって覆われ、その内部空間には撮影レンズ光学系や閃光発光部等が設けられる。レンズ光学系は、保持部材１５に保持されたレンズ２と、レンズ枠１１に保持されたレンズ３，４と、レンズ枠１２に保持されたレンズ５〜７と、固定筒１４に保持されたレンズ８とから成る。２９はシャッタ、２３はレンズ保護用のカバーガラスである。
【００１０】
保持部材１５と固定筒１４との間には一対の光軸方向のガイド軸１３が掛け渡され、この軸１３に沿ってレンズ枠１１を移動させることでフォーカシングが、レンズ枠１２を移動させることでズーミングがそれぞれ行われる。固定筒１４にはまた、光学ローパスフィルタ９とＣＣＤ（撮像素子）１０とが保持されるとともに、不図示のズーム／フォーカスモータも支持される。レンズ２〜８およびシャッタ２９を通った被写体光束は、光学ローパスフィルタ９を介してＣＣＤ１０に受光され、アナログ画像信号として出力される。
【００１１】
ＣＣＤ１０の後方には回路基板１７が設けられるとともに、更にその後方には閃光発光用のメインコンデンサ２１が配置される。回路基板１７には、ＣＣＤ１０からのアナログ画像信号をデジタル信号に変換する回路素子等が実装されている。デジタル変換された信号は、所定の画像処理が施された後、画像データとして本体部側のメモリカード（画像記録媒体）２５に記録される。
【００１２】
撮影光学系の側方には本体部側に膨出する膨出部が設けられ、ここに閃光発光部が設けられる。閃光発光部は、閃光発光管１８と、リフレクタ１９と、閃光発光回路２０等を有している。３１は発光窓を覆う透明の保護板である。発光管１８は、上記メインコンデンサ２１に蓄えられた電荷により発光し、被写体を照明する。
【００１３】
次に本体部２４の構成を説明する。
本体部２４は金属製の外観カバー５１，５２によって覆われ、その内部空間は金属板５３，５４，５５によって複数の空間に仕切られている。このうちカバー５１と金属板５３とで仕切られた空間（図２中最も上側の空間）ＳＰ１には液晶モニタ２７が配置される。液晶モニタ２７はバックライトを用いて画像を表示するもので、表示面が外観カバー５１から外部に露出している。撮影者は液晶モニタ２７で撮影済みの画像を確認したり、またファインダ代わりとして使用する。さらにモード設定やカスタム設定もこの液晶モニタ２７を利用して行う。
【００１４】
金属板５３，５４で仕切られた空間（図２において空間ＳＰ１の下に位置する空間）ＳＰ２はカード収容室とされ、ここにメモリカード２５が装填される。
【００１５】
金属板５４，５５で仕切られた空間（図２において空間ＳＰ２の下に位置する空間）ＳＰ３は電池室とされ、ここに電源電池２６が装填される。電池２６は従来のような円柱状のものではなく、薄型の箱形状のものが用いられる。電池２６の厚さ寸法は円柱状電池の直径よりも小さいので、本体部２４の薄型化が図れる。この電池２６および上記メモリカード２５の挿脱は、図４に示すカバー７２を開放することで行う。
【００１６】
金属板５５とカバー５２とで仕切られた空間（図２において空間ＳＰ３の下に位置する空間）ＳＰ４には、電気回路基板２８が配置固定される。回路基板２８には、全カメラシーケンスを制御するＣＰＵやメモリ、ＤＣ／ＤＣコンバータ等が実装されている。
【００１７】
回路基板２８と電池室との間に位置する金属板５５は、図６に示すように回転軸部５６ａを支持する金属板７１にビスＢＳにより固定され、また金属板７１は不図示のビスにより外観カバー５１，５２に連結されている。つまり金属板５５は、金属板７１を介して外観カバー５１，５２に連結されていることになる。
【００１８】
このように本実施形態では、薄型の電源電池２６を用いるとともに、電池室，カード収容室，液晶モニタ２７，回路基板２８をカメラ厚さ方向（図２の上下方向）に最小限の間隔で配置したので、本体部１の薄型化が図れる。
【００１９】
ここで、電源電池２６，液晶モニタ２７および回路基板２８上のＣＰＵはいずれも発熱源となるため、これらを含めたカメラ構成部品を間隔を狭めて配置すると、本体部１内に熱がこもり易くなる。しかし、本実施形態では各部品の間に金属板が配置されているため、その金属板が熱の伝導路となって放熱を促すことができる。特に電池２６と回路基板２８との間の金属板５５は、金属板７１を介して金属製の外観カバー５１，５２に連結されるとともに、鏡筒部１側の回転軸部５６ａ（金属製）にも連結されている。したがって、カメラ内部の熱を本体部２４の外観カバー５１，５２を介して外部に逃がすことができるのに加えて、回転軸部５６ａを介して鏡筒部１の外観カバー２２からも逃がすことができ、放熱性能が高い。
【００２０】
また電源電池２６および液晶モニタ２７の配置に関しては、これらを隣接して配置するのではなく、間にメモリカード２５を介在させるようにしたので、本体部１内の温度上昇を抑制できる。さらに、メモリカード２５の長さは電池２６より短いため、図２に６０で示す空間を確保でき、この空間によって放熱が促される。したがって本体部内に熱がこもることはなく、熱による悪影響が防止される。
また複数枚の金属板で空間を仕切ることで、本体部１の剛性が高まるという効果も得られる。
【００２１】
なお、金属板５３〜５５の全てを本体部１の外観カバーや回転軸部５６ａに連結してもよい。また以上では、鏡筒部１が本体部２４に対して回転可能なカメラを示したが、レンズ鏡筒が本体に一体的に設けられたデジタルスチルカメラにも本発明を適用できる。この場合もカメラ本体内の空間を複数の金属板で仕切って各空間にカメラ構成部材を配置するとともに、少なくとも一部の金属板を外観カバーに連結することで、外部への放熱が効率よく行える。これにより各部品間の間隔を狭めることができ、カメラの薄型化が図れる。さらにカメラ構成部品として、液晶モニタ，電源電池，メモリカード，回路基板を例に挙げたが、その他の発熱体を含むカメラ構成部品に対しても同様の構成を適用できる。
【００２２】
【発明の効果】
本発明によれば、撮影レンズ鏡筒部と本体部とが回転軸部材を介して回転可能に連結されて成るデジタルスチルカメラにおいて、カメラ本体部の電池室を構成する電池室壁に上記回転軸部材を連結したので、電源電池から発する熱をカメラ本体部から逃がすことは勿論、電池室壁および回転軸部材を介してレンズ鏡筒部側からも逃がすことができ、放熱効率の向上が図れる。
【図面の簡単な説明】
【図１】本発明の一実施形態におけるデジタルスチルカメラの構成を示す平面断面図。
【図２】図１のII−II線断面図。
【図３】上記カメラの外観を示す平面図。
【図４】図３のIV−IV線から見た図で、撮影レンズ鏡筒部を本体部に対して９０度回転させた状態を示す。
【図５】図３のＶ−Ｖ線から見た図。
【図６】撮影レンズ鏡筒部と本体部との間の回転支持部を示す斜視図および断面図。
【符号の説明】
１  撮影レンズ鏡筒部
２２  鏡筒部の外観カバー
２５  メモリカード
２６  電源電池
２７  液晶モニタ
２８  回路基板
５１，５２  本体部の外観カバー
５３〜５６，７１  金属板
５６ａ  回転支持部
【図１】
0004051943.tif 000002
【図２】
0004051943.tif 000003
【図３】
0004051943.tif 000004
【図４】
0004051943.tif 000005
【図５】
0004051943.tif 000006
【図６】
0004051943.tif 000007